(57)【要約】【課題】端末装置にコンテンツを表示する場合に、画像や詳細な内容を含むコンテンツと、画像などを含まず、概要を含むコンテンツとの間で柔軟に切替えること。【解決手段】端末装置は、表示部と、表示部に表示する態様である表示態様を指定する情報を記憶する記憶部と、アプリを実行することによって、自端末装置に対する表示切替え操作によって設定された情報に基づく第一判定条件と、記憶部に記憶されている表示態様を指定する情報に基づく第二判定条件と、自端末装置の通信状態に基づく第三判定条件とのうち、第一判定条件、第二判定条件、第三判定条件の順に、付された優先度に基づいて、表示態様を選択し、選択した表示態様にしたがって、表示部に表示する情報処理部とを備える。【選択図】図２
2019134344.tif 000002
【特許請求の範囲】
【請求項１】
端末装置であって、
表示部と、
前記表示部に表示する態様である表示態様を指定する情報を記憶する記憶部と、
アプリを実行することによって、自端末装置に対する表示切替え操作によって設定された情報に基づく第一判定条件と、前記記憶部に記憶されている前記表示態様を指定する情報に基づく第二判定条件と、前記自端末装置の通信状態に基づく第三判定条件とのうち、前記第一判定条件、前記第二判定条件、前記第三判定条件の順に、付された優先度に基づいて、表示態様を選択し、選択した表示態様にしたがって、前記表示部に表示する情報処理部とを備える、端末装置。
【請求項２】
前記情報処理部は、前記アプリが終了した場合に、前記記憶部に記憶している前記表示態様を指定する情報を初期化する、請求項１に記載の端末装置。
【請求項３】
前記アプリの終了には、前記アプリがフォアグラウンドからバックグラウンドに切り替えられた場合と、前記アプリが閉じられた場合とが含まれる、請求項２に記載の端末装置。
【請求項４】
端末装置が実行する表示方法であって、
表示部に表示する態様である表示態様を指定する情報を記憶するステップと、
アプリを実行することによって、自端末装置に対する表示切替え操作によって設定された情報に基づく第一判定条件と、前記記憶するステップで記憶された前記表示態様を指定する情報に基づく第二判定条件と、前記自端末装置の通信状態に基づく第三判定条件とのうち、前記第一判定条件、前記第二判定条件、前記第三判定条件の順に、付された優先度に基づいて、表示態様を選択するステップと、
前記選択するステップで選択した表示態様にしたがって、前記表示部に表示するステップとを有する、表示方法。
【請求項５】
端末装置のコンピュータに、
表示部に表示する態様である表示態様を指定する情報を記憶するステップと、
アプリを実行することによって、自端末装置に対する表示切替え操作によって設定された情報に基づく第一判定条件と、前記記憶するステップで記憶された前記表示態様を指定する情報に基づく第二判定条件と、前記自端末装置の通信状態に基づく第三判定条件とのうち、前記第一判定条件、前記第二判定条件、前記第三判定条件の順に、付された優先度に基づいて、表示態様を選択するステップと、
前記選択するステップで選択した表示態様にしたがって、前記表示部に表示するステップとを実行させる、プログラム。
【発明の詳細な説明】
【技術分野】
【０００１】
本発明の実施形態は、端末装置、表示方法、及びプログラムに関する。
【背景技術】
【０００２】
インターネットの飛躍的な普及に伴って、インターネットを介した情報配信が行われている。インターネットを介して配信された情報は、端末装置によって受信される。端末装置は、受信した情報を処理することによって、ウェブページに表示する。受信した情報がニュースなどのコンテンツである場合、端末装置は、ウェブページに、ニュースなどのコンテンツを表示する。
【０００３】
ウェブページにコンテンツを表示する技術に関して、ウェブページの情報に関心が低いユーザとウェブページの情報に関心が高いユーザとの双方に対して、より効率良くウェブページ上で情報を閲覧させる技術が知られている（例えば、特許文献１参照）。この技術では、端末装置は、サーバ装置からウェブページと、ウェブページ上に挿入すべき挿入情報とを取得し、該ウェブページを表示する。そして、端末装置は、表示されているウェブページに対するユーザ操作情報を監視し、監視しているユーザ操作情報が所定の条件を満たしているか否かを判定し、条件を満たしていると判定された場合に、表示されているウェブページ上の所定の表示位置に挿入情報を挿入する。
【先行技術文献】
【特許文献】
【０００４】
【特許文献１】特開２０１１−１１３２７９号公報
【発明の概要】
【発明が解決しようとする課題】
【０００５】
端末装置は、ウェブページに、画像や詳細な内容を含むコンテンツを表示する。
画像や詳細な内容を含むコンテンツはデータ量が多いため、ダウンロード時間が長くなる。さらに、画像や詳細な内容を含むコンテンツを表示する場合には、端末装置にかかる処理負荷が大きくなるため、表示に要する時間が長くなる。
また、コンテンツをダウンロードするのに要する時間は、ネットワークの混み具合などによって変わってくる。
ユーザは、画像や詳細な内容を含むコンテンツの代わりに、画像などを含まず、概要を含むコンテンツを、希望する場合がある。
【０００６】
本発明は、前述した問題を解決すべくなされたもので、端末装置にコンテンツを表示する場合に、画像や詳細な内容を含むコンテンツと、画像などを含まず、概要を含むコンテンツとの間で柔軟に切替えることができる端末装置、表示方法、およびプログラムを提供することを目的とする。
【課題を解決するための手段】
【０００７】
（１）本発明の一態様は、端末装置であって、表示部と、前記表示部に表示する態様である表示態様を指定する情報を記憶する記憶部と、アプリを実行することによって、自端末装置に対する表示切替え操作によって設定された情報に基づく第一判定条件と、前記記憶部に記憶されている前記表示態様を指定する情報に基づく第二判定条件と、前記自端末装置の通信状態に基づく第三判定条件とのうち、前記第一判定条件、前記第二判定条件、前記第三判定条件の順に、付された優先度に基づいて、表示態様を選択し、選択した表示態様にしたがって、前記表示部に表示する情報処理部とを備える、端末装置である。
（２）本発明の一態様は、上記（１）に記載の端末装置において、前記情報処理部は、前記アプリが終了した場合に、前記記憶部に記憶している前記表示態様を指定する情報を初期化する。
（３）本発明の一態様は、上記（２）に記載の端末装置において、前記アプリの終了には、前記アプリが、フォアグラウンドからバックグラウンドに切り替えられた場合と、前記アプリが閉じられた場合とが含まれる。
（４）本発明の一態様は、端末装置が実行する表示方法であって、表示部に表示する態様である表示態様を指定する情報を記憶するステップと、アプリを実行することによって、自端末装置に対する表示切替え操作によって設定された情報に基づく第一判定条件と、前記記憶するステップで記憶された前記表示態様を指定する情報に基づく第二判定条件と、前記自端末装置の通信状態に基づく第三判定条件とのうち、前記第一判定条件、前記第二判定条件、前記第三判定条件の順に、付された優先度に基づいて、表示態様を選択するステップと、前記選択するステップで選択した表示態様にしたがって、前記表示部に表示するステップとを有する、表示方法である。
（５）本発明の一態様は、端末装置のコンピュータに、表示部に表示する態様である表示態様を指定する情報を記憶するステップと、アプリを実行することによって、自端末装置に対する表示切替え操作によって設定された情報に基づく第一判定条件と、前記記憶するステップで記憶された前記表示態様を指定する情報に基づく第二判定条件と、前記自端末装置の通信状態に基づく第三判定条件とのうち、前記第一判定条件、前記第二判定条件、前記第三判定条件の順に、付された優先度に基づいて、表示態様を選択するステップと、前記選択するステップで選択した表示態様にしたがって、前記表示部に表示するステップとを実行させる、プログラムである。
【発明の効果】
【０００８】
本発明の実施形態によれば、端末装置にコンテンツを表示する場合に、画像や詳細な内容を含むコンテンツと、画像などを含まず、概要を含むコンテンツとの間で柔軟に切替えることができる端末装置、表示方法、およびプログラムを提供することができる。
【図面の簡単な説明】
【０００９】
【図１】本実施形態の通信システムの一例を示す図である。
【図２】本実施形態の端末装置の一例を示すブロック図である。
【図３】本実施形態の端末装置が表示する情報表示サイトの一例を示す図である。
【図４】本実施形態の端末装置の動作の一例を示すシーケンスチャートである。
【発明を実施するための形態】
【００１０】
次に、本発明を実施するための形態を、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
また、本願でいう「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
【００１１】
（実施形態）
（通信システム）
図１は、本実施形態の通信システムの一例を示す図である。
本実施形態の通信システム１は、端末装置１００−１、端末装置１００−２、・・・、端末装置１００−Ｎと、ＤＣ（データチャージ）サーバ装置２００と、コンテンツ配信サーバ装置３００とを備える。
端末装置１００−１、端末装置１００−２、・・・、端末装置１００−Ｎの各々は、インターネットなどのネットワーク５０を介して、ＤＣサーバ装置２００と、コンテンツ配信サーバ装置３００と接続される。
以下、端末装置１００−１、端末装置１００−２、・・・、端末装置１００−Ｎのうち、任意の端末装置を、端末装置１００と記載する。
【００１２】
端末装置１００は、ＤＣサーバ装置２００と、コンテンツ配信サーバ装置３００との間で、高速又は低速で通信を行う。端末装置１００が行う高速通信の一例は、ＬＴＥ(Long Term Evolution)や、ＷｉＦｉ（登録商標）にしたがった通信である。また、例えば、端末装置１００は、数百ｂｐｓで低速通信を行う。端末装置１００がＬＴＥにしたがって高速通信を行う場合には従量課金され、端末装置１００がＷｉＦｉにしたがって高速通信を行う場合には課金されない。本実施形態では、従量課金される高速通信の一例としてＬＴＥにしたがって通信を行う場合について、従量課金されない高速通信の一例としてＷｉＦｉにしたがって通信を行う場合について説明を続ける。また、以下、単に「高速通信」と記載した場合には、ＬＴＥにしたがって高速通信を行う場合をいう。
また、端末装置１００は、ポータルアプリを起動し、ポータルサイトを表示する。ポータルサイトとは、ワールド・ワイド・ウェブ（Ｗｏｒｌｄ  Ｗｉｄｅ  Ｗｅｂ：  ＷＷＷ）にアクセスするときの入口となるサイトである。端末装置１００は、ＤＣサーバ装置２００にアクセスすることによって、ポータルサイトを取得する。ポータルサイトには、端末装置が使用できるデータ量（以下「使用可能データ量」という）、追加データ量、追加データ量の有効期限などを表す情報が表示される。追加データ量と、追加データ量の有効期限については、後述する。このように構成することによって、ユーザは、データ通信の利用状況を参照できる。
さらに、ポータルサイトには、高速通信と低速通信とのいずれかの指定や、追加データ量をチャージしたりすることができる。このように構成することによって、ユーザは、通信速度を指定するサービス、データチャージなどのサービスを利用できる。
【００１３】
また、端末装置１００は、情報表示アプリを起動し、情報表示サイトを表示する。情報表示サイトは、コンテンツ配信サーバ装置３００が提供するＨＴＭＬや画像を含むウェブページである。端末装置１００は、情報表示サイトを表示する場合に、画像や詳細な内容を含むコンテンツと、画像などを含まず、概要を含むコンテンツとのいずれかを取得し、取得したコンテンツを表示する。以下、画像や詳細な内容を含むコンテンツを表示することを通常表示といい、画像などを含まず、概要を含むコンテンツを表示することをライト表示という。
【００１４】
具体的には、端末装置１００は、自端末装置１００が表示する情報表示サイトでの表示切替え操作によって、通常表示と、ライト表示とのいずれかの表示情報が設定された場合には、その設定された表示情報にしたがって、情報表示サイトを表示する。
端末装置１００は、通常表示と、ライト表示とのいずれかの表示情報も設定されていない場合には、表示する態様である表示態様を指定する情報（以下「表示指定情報」という）が、記憶部に記憶されている場合には、その表示指定情報に基づいて、情報表示サイトを表示する。
端末装置１００は、通常表示とライト表示とのいずれの情報も設定されず、且つ記憶部に表示指定情報が記憶されていない場合には、自端末装置１００に設定されている通信状態を示す情報（以下「通信状態情報」という）に応じて、通常表示とライト表示とのいずれかで、情報表示サイトを表示する。
具体的には、端末装置１００は、ＬＴＥ、ＷｉＦｉなどのデータ通信に用いられる通信回線の種類と、端末装置１００に対する通信速度選択操作によって、複数の通信速度のうちから選択された通信速度の選択結果とから、通信状態を判定する。端末装置１００は、通信速度の選択結果を含む通信状態情報を設定するリクエストを、ＤＣサーバ装置２００へ送信する。端末装置１００は、判定した通信状態に基づいて、通常表示とライト表示とのいずれかで、情報表示サイトを表示する。
【００１５】
ＤＣサーバ装置２００は、端末装置１００の通信量を管理する。ＤＣサーバ装置２００は、端末装置１００に設定された通信状態情報に応じて、端末装置１００によって消費されるデータ容量を管理する。端末装置１００は、通信状態情報を設定する要求であるリクエストを、ＤＣサーバ装置２００へ送信する。ＤＣサーバ装置２００は、端末装置１００が送信したそのリクエストに応じて、低速通信と、高速通信とのいずれかを設定する。
【００１６】
端末装置１００には、使用可能データ量が設定され、端末装置１００が高速通信で行った通信量に応じて、使用可能データ量を減少させる。端末装置１００は、使用可能データ量が零になるまでは、高速通信ができる。端末装置１００は、使用可能データ量が零になった場合、低速通信またはＷｉＦｉにしたがった高速通信しかできない。ただし、端末装置１００は、使用可能データ量が零になった場合でも、必要な分だけ追加データ量をチャージすることによって、そのチャージした追加データ量の分だけ、高速通信ができる。ただし、追加データ量には有効期限が設定されているため、有効期限内に使用する必要がある。有効期限が経過した追加データ量は、消滅する。
ＤＣサーバ装置２００は、端末装置１００が送信した通信状態情報を設定する要求であるリクエストが高速通信に設定することを示す場合に、使用可能データ量が零である場合には、高速通信に設定せず、高速通信に設定できないことを示す情報を、端末装置１００へ送信する。ここで、ＤＣサーバ装置２００は、追加データ量をチャージすることを促す情報を、端末装置１００へ送信するようにしてもよい。
ＤＣサーバ装置２００は、通信状態情報が低速通信に設定されている端末装置１００が通信を行った場合や、通信状態が高速通信に設定されている場合でも、ＷｉＦｉにしたがって高速通信を行った場合には、使用可能データ量を減少させない。つまり、ＤＣサーバ装置２００は、通信状態情報が高速通信に設定されている端末装置１００が通信を行った場合に、その通信量に応じて、使用可能データ量を減少させる。  ＤＣサーバ装置２００は、管理期間毎に、端末装置１００の使用可能データ量を管理する。ＤＣサーバ装置２００は、管理期間が経過した場合に、使用可能データ量が零でない場合、つまり、使用可能データ量が残っている場合、その残っている使用可能データ量を、次の管理期間の使用可能データ量に加算する。
【００１７】
コンテンツ配信サーバ装置３００は、ＨＴＴＰ、ＨＴＴＰＳなどの通信プロトコルに則り、端末装置１００にインストールされたソフトウェアである情報表示アプリに対して、ＨＴＭＬや画像を含むウェブページである情報表示サイトを送信する。コンテンツ配信サーバ装置３００は、端末装置１００が送信したリクエストに応じて、情報表示サイトを送信する。さらに、コンテンツ配信サーバ装置３００は、情報表示サイトに含まれるコンテンツを、端末装置１００へ送信する。
【００１８】
以下、通信システム１を構成する端末装置１００と、ＤＣサーバ装置２００と、コンテンツ配信サーバ装置３００とのうち、端末装置１００について、詳細に説明する。
図２は、本実施形態の端末装置の一例を示すブロック図である。
本実施形態の端末装置１００は、タブレット端末、スマートフォン、ＰＣ、ノートＰＣなどによって実現される。
端末装置１００は、通信部１１０と、記憶部１２０と、情報処理部１３０と、操作部１４０と、表示部１６０と、各構成要素を図２に示されているように電気的に接続するためのアドレスバスやデータバスなどのバスライン１５０とを備える。
【００１９】
通信部１１０は、通信モジュールによって実現される。通信部１１０は、ネットワーク５０を経由して、ＤＣサーバ装置２００、コンテンツ配信サーバ装置３００などの他の装置と通信を行う。
具体的には、通信部１１０は、情報処理部１３０が出力した通信状態情報を設定する要求であるリクエストや、追加データ量をチャージすることを要求するリクエストを、ＤＣサーバ装置２００へ、送信する。
また、通信部１１０は、情報処理部１３０が出力した通信状態情報を問い合わせる要求であるリクエストを、ＤＣサーバ装置２００へ送信し、そのリクエストに対して、ＤＣサーバ装置２００が送信した通信状態情報を受信する。通信部１１０は、受信した通信状態情報を、情報処理部１３０へ出力する。
また、通信部１１０は、情報処理部１３０が出力した情報表示サイトのデータを要求するリクエストを、コンテンツ配信サーバ装置３００へ送信する。通信部１１０は、コンテンツ配信サーバ装置３００が送信した情報表示サイトのデータを受信し、受信した情報表示サイトのデータを、情報処理部１３０へ出力する。
【００２０】
記憶部１２０は、例えば、ＲＡＭ（Random Access Memory）、ＲＯＭ（Read Only Memory）、フラッシュメモリ、またはこれらのうち複数が組み合わされたハイブリッド型記憶装置などにより実現される。記憶部１２０には、情報処理部１３０により実行されるプログラム１２１が記憶される。さらに、記憶部１２０には、ポータルアプリ１２２と、情報表示アプリ１２３と、表示指定情報１２４とが記憶される。
ポータルアプリ１２２は、端末装置１００に、ポータルサイトを提供する。ポータルサイトは、前述したように、ＤＣサーバ装置２００へアクセスすることによって、ユーザに、使用可能データ量、追加データ量、追加データ量の有効期限などを提供する。
情報表示アプリ１２３は、端末装置１００に、ニュース、検索サービス、占い、天気などのユーザが日常的に利用できる情報（以下「情報コンテンツ」という）を含む情報表示サイトを送信する。
表示指定情報１２４は、表示部１６０にウェブサイトに含まれる情報コンテンツを、通常表示するかライト表示するかを指定する情報であり、通常表示を示す情報と、ライト表示を示す情報とのいずれか一方を含む。
【００２１】
操作部１４０は、例えば、タッチパネルによって構成され、表示部１６０に表示されるポータルアプリ１２２のアイコンや、情報表示アプリ１２３のアイコンに対するタッチ操作を検出し、タッチ操作の検出結果を、情報処理部１３０へ出力する。また、操作部１４０は、ポータルサイトや情報表示サイトの情報コンテンツなどに対するタッチ操作を検出し、タッチ操作の検出結果を、情報処理部１３０へ出力する。
表示部１６０は、ポータルアプリ１２２のアイコンを表示し、ポータルアプリ１２２が起動された場合に、ポータルサイトを表示する。また、表示部１６０は、情報表示アプリ１２３のアイコンを表示し、情報表示アプリ１２３が起動された場合に、情報表示サイトを表示する。
【００２２】
情報処理部１３０は、例えば、ＣＰＵ（Central Processing Unit）などのプロセッサが記憶部１２０に格納されたプログラム１２１や、ポータルアプリ１２２や、情報表示アプリ１２３を実行することにより実現される機能部（以下、ソフトウェア機能部と称する）である。なお、情報処理部１３０の全部または一部は、ＬＳＩ（Large Scale Integration）、ＡＳＩＣ（Application Specific Integrated Circuit）、またはＦＰＧＡ（Field-Programmable Gate Array）などのハードウェアにより実現されてもよく、ソフトウェア機能部とハードウェアとの組み合わせによって実現されてもよい。
【００２３】
情報処理部１３０は、例えば、処理部１３２と、作成部１３４とを備える。
処理部１３２は、表示部１６０に表示されたポータルアプリ１２２のアイコンに対してタッチ操作が行われた場合に、操作部１４０が出力するタッチ操作の検出結果を取得し、取得したタッチ操作の検出結果に基づいて、ポータルアプリ１２２を起動する。処理部１３２がポータルアプリ１２２を起動することによって、表示部１６０に、ポータルサイトを表示する。
ユーザは、ポータルサイトを参照し、高速通信と低速通信とのいずれかを指定することができる。処理部１３２は、表示部１６０に表示されたポータルサイトに対して、高速通信と低速通信とのいずれかを指定するタッチ操作が行われた場合に、操作部１４０が出力するタッチ操作の検出結果を取得する。処理部１３２は、取得したタッチ操作の検出結果に基づいて、通常表示を示す情報と、ライト表示を示す情報とのいずれかの情報を含む通信状態情報を設定する要求であるリクエストを作成し、作成したリクエストを、通信部１１０へ出力する。
処理部１３２は、表示部１６０に表示されたポータルサイトに対して、追加データ量をチャージするタッチ操作が行われた場合に、操作部１４０が出力するタッチ操作の検出結果を取得し、取得したタッチ操作の検出結果に基づいて、追加データ量をチャージすることを要求するリクエストを作成し、作成したリクエストを、通信部１１０へ出力する。
【００２４】
また、処理部１３２は、表示部１６０に表示された情報表示アプリ１２３のアイコンに対してタッチ操作が行われた場合に、操作部１４０が出力するタッチ操作の検出結果を取得し、取得したタッチ操作の検出結果に基づいて、情報表示アプリ１２３を起動する。処理部１３２は、情報表示サイトに含まれる情報コンテンツなどのデータを要求するＵＲＬなどのリソースの場所を示す情報を含むリクエストを作成し、作成したリクエストを、通信部１１０へ出力する。処理部１３２は、出力したリクエストに対して、コンテンツ配信サーバ装置３００が送信した情報表示サイトのデータを、通信部１１０から取得し、取得した情報表示サイトのデータを処理することによって、表示部１６０に、情報表示サイトを表示する。
【００２５】
ユーザは、情報表示サイトを参照し、通常表示と、ライト表示とのいずれかを指定することができる。処理部１３２は、表示部１６０に表示された情報表示サイトに対して、通常表示と、ライト表示とのいずれかを指定するタッチ操作が行われた場合に、操作部１４０が出力するタッチ操作の検出結果を取得し、取得したタッチ操作の検出結果に基づいて、通常表示と、ライト表示とのいずれかで表示する。
具体的には、処理部１３２は、表示部１６０に表示された情報表示サイトに対して、通常表示と、ライト表示とのいずれかを指定するタッチ操作が行われた場合に、通常表示と、ライト表示とのいずれかの情報表示サイトのデータを取得する要求を作成する情報を、作成部１３４へ出力する。
作成部１３４は、処理部１３２が出力したその作成する情報を取得し、取得した作成する情報にしたがって、通常表示と、ライト表示とのいずれかの情報表示サイトのデータを取得する要求であるリクエストを作成し、作成したリクエストを通信部１１０へ出力する。
処理部１３２は、そのリクエストに対して、コンテンツ配信サーバ装置３００が送信した情報表示サイトのデータを取得し、取得した情報表示サイトのデータを処理することによって、情報表示サイトを、表示部１６０に表示する。
【００２６】
また、処理部１３２は、表示部１６０に表示された情報表示サイトに対して、通常表示と、ライト表示とのいずれかを指定するタッチ操作が行われない場合には、記憶部１２０の表示指定情報１２４に含まれる情報に基づいて、通常表示と、ライト表示のいずれかで、情報表示サイトを表示する。
具体的には、処理部１３２は、記憶部１２０の表示指定情報１２４に含まれる情報に基づいて、通常表示と、ライト表示とのいずれかの情報表示サイトのデータを取得する要求を作成する情報を、作成部１３４へ出力する。処理部１３２は、表示指定情報１２４に通常表示を示す情報が含まれる場合には、通常表示の情報表示サイトのデータを取得する要求を作成する情報を、作成部１３４へ出力する。処理部１３２は、表示指定情報１２４にライト表示を示す情報が含まれる場合には、ライト表示の情報表示サイトのデータを取得する要求を作成する情報を、作成部１３４へ出力する。
作成部１３４は、処理部１３２が出力したその作成する情報を取得し、取得した作成する情報にしたがって、通常表示と、ライト表示とのいずれかの情報表示サイトのデータを取得する要求であるリクエストを作成し、作成したリクエストを通信部１１０へ出力する。
処理部１３２は、そのリクエストに対して、コンテンツ配信サーバ装置３００が送信した情報表示サイトを取得し、取得した情報表示サイトのデータを処理することによって、情報表示サイトを、表示部１６０に表示する。
【００２７】
また、処理部１３２は、表示部１６０に表示された情報表示サイトに対して、通常表示と、ライト表示とのいずれかを指定するタッチ操作が行われず、且つ記憶部１２０の表示指定情報１２４に情報が含まれない場合には、作成部１３４に、ＤＣサーバ装置２００をあて先とし、通信状態情報を問い合わせる要求を含むリクエストを作成する情報を出力する。
作成部１３４は、処理部１３２が出力したリクエストを作成する情報を取得し、取得したリクエストを作成する情報にしたがって、ＤＣサーバ装置２００へのアクセス負荷を制御した上で、リクエストを作成し、作成したリクエストを、通信部１１０へ出力する。
処理部１３２は、そのリクエストに対して、ＤＣサーバ装置２００が送信した端末装置１００の通信状態情報を含むレスポンスを取得する。処理部１３２は、そのレスポンスに含まれる通信状態情報に基づいて、通常表示と、ライト表示のいずれかで、情報表示サイトを表示する。
具体的には、処理部１３２は、通信状態情報が高速通信を示す場合には、通常表示の情報表示サイトのデータを取得する要求を作成する情報を、作成部１３４へ出力する。作成部１３４は、処理部１３２が出力したその作成する情報を取得し、取得した作成する情報にしたがって、通常表示の情報表示サイトのデータを取得する要求であるリクエストを作成し、作成したリクエストを通信部１１０へ出力する。
【００２８】
処理部１３２は、そのリクエストに対して、コンテンツ配信サーバ装置３００が送信した情報表示サイトを取得し、取得した通常表示の情報表示サイトのデータを処理することによって、通常表示の情報表示サイトを、表示部１６０に表示する。また、処理部１３２は、通信状態情報が低速通信を示す場合には、ライト表示の情報表示サイトのデータを取得する要求を作成する情報を、作成部１３４へ出力する。
作成部１３４は、処理部１３２が出力したその作成する情報を取得し、取得した作成する情報にしたがって、ライト表示の情報表示サイトのデータを取得する要求であるリクエストを作成し、作成したリクエストを通信部１１０へ出力する。処理部１３２は、そのリクエストに対して、コンテンツ配信サーバ装置３００が送信した情報表示サイトを取得し、取得したライト表示の情報表示サイトのデータを処理することによって、ライト表示の情報表示サイトを、表示部１６０に表示する。
処理部１３２は、表示部１６０に表示された情報表示サイトに対して、タッチ操作が行われたことによって、通常表示と、ライト表示との間で切り替えられない限り、同一セッションでは、取得した通信状態情報を保持する。つまり、同一セッションでは、取得した通信状態情報は変更されない。
処理部１３２は、情報表示サイトが、フォアグラウンドからバックグラウンドへ変更された場合や、情報表示サイトが閉じられた場合などによって、セッションが切断された場合に、情報表示アプリが終了したとする。つまり、情報表示サイトがフォアグランドで動作している場合に、情報表示サイトが動作しているとする。処理部１３２は、情報表示アプリが終了した場合に、記憶部１２０の表示指定情報に記憶している情報を初期化する。
【００２９】
図３は、本実施形態の端末装置が表示する情報表示サイトの一例を示す図である。図３において、左側は通常表示された情報表示サイト４００ａを示し、右側はライト表示された情報表示サイト４００ｂを示す。
（通常表示された情報表示サイト）
通常表示された情報表示サイト４００ａについて説明する。
通常表示された情報表示サイト４００ａには、「□△」と表示されたアプリ名４０１と、「天気」と表示された天気予報コンテンツ４０２と、「占い」と表示された占いコンテンツ４０３と、乗換案内と表示された乗換案内コンテンツ４０４と、簡易切替と表示された簡易切替コンテンツ４０５とが含まれる。
【００３０】
さらに、通常表示された情報表示サイト４００ａには、主要と表示された主要インデックス４０６と、時事と表示された時事インデックス４０７と、芸能と表示された芸能インデックス４０８と、スポーツと表示されたスポーツインデックス４０９とが含まれる。
さらに、通常表示された情報表示サイト４００ａには、情報４１０ａと、情報４１３ａと、情報４１６ａと、情報４１９ａと、「もっと見る」と表示された表示インデックス４２２ａとが含まれる。ここで、情報４１０ａには、画像４１１ａと、記事４１２ａとが含まれる。情報４１３ａには、画像４１４ａと、記事４１５ａとが含まれる。情報４１６ａには、画像４１７ａと、記事４１８ａとが含まれる。情報４１９ａには、画像４２０ａと、記事４２１ａとが含まれる。
図３に示される例では、天気予報コンテンツ４０２と、占いコンテンツ４０３と、乗換案内コンテンツ４０４と、簡易切替コンテンツ４０５と、主要インデックス４０６と、時事インデックス４０７と、芸能インデックス４０８と、スポーツインデックス４０９と、情報４１０ａと、情報４１３ａと、情報４１６ａと、情報４１９ａとの各々がコンテンツであり、各コンテンツがタイル状に配置されている。
【００３１】
処理部１３２は、表示部１６０に表示された天気予報コンテンツ４０２に対してタッチ操作が行われた場合に、操作部１４０が出力するタッチ操作の検出結果を取得し、取得したタッチ操作の検出結果に基づいて、天気予報を取得するリクエストを作成し、作成したリクエストを通信部１１０へ出力する。処理部１３２は、リクエストに対して、コンテンツ配信サーバ装置３００が送信した天気予報を示す情報を取得し、取得した天気予報を示す情報を処理することによって、表示部１６０に天気予報を表示する。
処理部１３２は、表示部１６０に表示された占いコンテンツ４０３に対してタッチ操作が行われた場合に、操作部１４０が出力するタッチ操作の検出結果を取得し、取得したタッチ操作の検出結果に基づいて、占いを取得するリクエストを作成し、作成したリクエストを通信部１１０へ出力する。処理部１３２は、リクエストに対して、コンテンツ配信サーバ装置３００が送信した占いを示す情報を取得し、取得した占いを示す情報を処理することによって、表示部１６０に占いを表示する。
【００３２】
処理部１３２は、表示部１６０に表示された乗換案内コンテンツ４０４に対してタッチ操作が行われた場合に、操作部１４０が出力するタッチ操作の検出結果を取得し、取得したタッチ操作の検出結果に基づいて、表示部１６０に乗換案内を表す画面を表示する。ユーザは、表示部１６０に表示された乗換案内を表す画面で、出発と、到着とを入力し、検索と表示された部分を押す。処理部１３２は、出発と、到着とを含む乗換案内を取得するリクエストを作成し、作成した乗換案内を通信部１１０へ出力する。処理部１３２は、リクエストに対して、コンテンツ配信サーバ装置３００が送信した乗換案内を示す情報を取得し、取得した乗換案内を示す情報を処理することによって、表示部１６０に乗換案内を表示する。このように構成することによって、ユーザは、出発から到着までのルートを取得てきる。
処理部１３２は、表示部１６０に「通常表示」と表示された簡易切替コンテンツ４０５に対してタッチ操作が行われた場合に、操作部１４０が出力するタッチ操作の検出結果を取得し、取得したタッチ操作の検出結果に基づいて、ライト表示の情報表示サイトのデータを取得する要求を作成する情報を、作成部１３４へ出力する。
作成部１３４は、処理部１３２が出力したその作成する情報を取得し、取得した作成する情報にしたがって、ライト表示の情報表示サイトのデータを取得する要求であるリクエストを作成し、作成したリクエストを通信部１１０へ出力する。
処理部１３２は、そのリクエストに対して、コンテンツ配信サーバ装置３００が送信したライト表示の情報表示サイトを取得し、取得したライト表示のデータを処理することによって、ライト表示の情報表示サイトを、表示部１６０に表示する。
【００３３】
処理部１３２は、表示部１６０に表示された主要インデックス４０６に対してタッチ操作が行われた場合に、操作部１４０が出力するタッチ操作の検出結果を取得し、取得したタッチ操作の検出結果に基づいて、表示部１６０に、複数の情報のうち、主要に該当する情報を表示する。このように構成することによって、ユーザは、主要な情報を取得できる。
処理部１３２は、表示部１６０に表示された時事インデックス４０７に対してタッチ操作が行われた場合に、操作部１４０が出力するタッチ操作の検出結果を取得し、取得したタッチ操作の検出結果に基づいて、表示部１６０に、複数の情報のうち、時事に関する情報を表示する。このように構成することによって、ユーザは、時事に関する情報を取得できる。
【００３４】
処理部１３２は、表示部１６０に表示された芸能インデックス４０８に対してタッチ操作が行われた場合に、操作部１４０が出力するタッチ操作の検出結果を取得し、取得したタッチ操作の検出結果に基づいて、表示部１６０に、複数の情報のうち、芸能に関する情報を表示する。このように構成することによって、ユーザは、芸能に関する情報を取得できる。
処理部１３２は、表示部１６０に表示されたスポーツインデックス４０９に対してタッチ操作が行われた場合に、操作部１４０が出力するタッチ操作の検出結果を取得し、取得したタッチ操作の検出結果に基づいて、表示部１６０に、複数の情報のうち、スポーツに関する情報を表示する。このように構成することによって、ユーザは、スポーツに関する情報を取得できる。
【００３５】
処理部１３２は、表示部１６０に表示された情報４１０ａ、情報４１３ａ、情報４１６ａ、情報４１９ａのうち、いずれかに対してタッチ操作が行われた場合に、操作部１４０が出力するタッチ操作の検出結果を取得し、取得したタッチ操作の検出結果に基づいて、表示部１６０に、複数の情報のうち、タッチ操作された情報の詳細を表示する。ここで、処理部１３２は、情報の詳細を、通常表示された情報表示サイトのデータに含まれる情報から取得してもよいし、コンテンツ配信サーバ装置３００にアクセスすることによって取得してもよい。このように構成することによって、ユーザは、情報の詳細を取得できる。
処理部１３２は、表示部１６０に表示された表示インデックス４２２ａに対してタッチ操作が行われた場合に、操作部１４０が出力するタッチ操作の検出結果を取得し、取得したタッチ操作の検出結果に基づいて、表示部１６０に、情報４１０ａ、情報４１３ａ、情報４１６ａ、情報４１９ａ以外の情報を、情報４１９ａの下側に表示する。ここで、処理部１３２は、情報４１０ａ、情報４１３ａ、情報４１６ａ、情報４１９ａ以外の情報を、通常表示された情報表示サイトのデータに含まれる情報から取得してもよいし、コンテンツ配信サーバ装置３００にアクセスすることによって取得してもよい。このように構成することによって、表示部１６０に表示しきれなかった情報を表示できる。
【００３６】
（ライト表示された情報表示サイト）
ライト表示された情報表示サイト４００ｂについて説明する。
ライト表示された情報表示サイト４００ｂには、「□△」と表示されたアプリ名４０１と、「天気」と表示された天気予報コンテンツ４０２と、「占い」と表示された占いコンテンツ４０３と、乗換案内と表示された乗換案内コンテンツ４０４と、簡易切替と表示された簡易切替コンテンツ４０５とが含まれる。
さらに、ライト表示された情報表示サイト４００ｂには、主要と表示された主要インデックス４０６と、時事と表示された時事インデックス４０７と、芸能と表示された芸能インデックス４０８と、スポーツと表示されたスポーツインデックス４０９とが含まれる。
【００３７】
さらに、ライト表示された情報表示サイト４００ｂには、情報４１０ｂと、情報４１３ｂと、情報４１６ｂと、情報４１９ｂと、「もっと見る」と表示された表示インデックス４２２ｂとが含まれる。ここで、情報４１０ｂには、記事４１２ｂが含まれる。情報４１３ｂには、記事４１５ｂが含まれる。情報４１６ａには、記事４１８ｂが含まれる。情報４１９ｂには、記事４２１ｂが含まれる。つまり、情報４１０ｂと、情報４１３ｂと、情報４１６ｂと、情報４１９ｂとには、画像は含まれない。また、記事４１２ｂと、記事４１５ｂと、記事４１８ｂと、記事４２１ｂとは、それぞれ記事４１２ａと、記事４１５ａと、記事４１８ａと、記事４２１ａとの概略であってもよい。
図３に示される例では、天気予報コンテンツ４０２と、占いコンテンツ４０３と、乗換案内コンテンツ４０４と、簡易切替コンテンツ４０５と、主要インデックス４０６と、時事インデックス４０７と、芸能インデックス４０８と、スポーツインデックス４０９と、情報４１０ｂと、情報４１３ｂと、情報４１６ｂと、情報４１９ｂとの各々がコンテンツであり、各コンテンツがタイル状に配置されている。
【００３８】
処理部１３２は、表示部１６０に「ライト表示」と表示された簡易切替コンテンツ４０５に対してタッチ操作が行われた場合に、操作部１４０が出力するタッチ操作の検出結果を取得し、取得したタッチ操作の検出結果に基づいて、通常表示の情報表示サイトのデータを取得する要求を作成する情報を、作成部１３４へ出力する。
作成部１３４は、処理部１３２が出力したその作成する情報を取得し、取得した作成する情報にしたがって、通常表示の情報表示サイトのデータを取得する要求であるリクエストを作成し、作成したリクエストを通信部１１０へ出力する。
処理部１３２は、そのリクエストに対して、コンテンツ配信サーバ装置３００が送信した通常表示の情報表示サイトのデータを取得し、取得した通常表示の情報表示サイトのデータを処理することによって、通常表示の情報表示サイトを表示部１６０に表示する。
【００３９】
処理部１３２は、表示部１６０に表示された情報４１０ｂ、情報４１３ｂ、情報４１６ｂ、情報４１９ｂのうち、いずれかに対してタッチ操作が行われた場合に、操作部１４０が出力するタッチ操作の検出結果を取得し、取得したタッチ操作の検出結果に基づいて、表示部１６０に、複数の情報のうち、タッチ操作された情報の詳細を表示する。ここで、処理部１３２は、情報の詳細を、ライト表示された情報表示サイトのデータに含まれる情報から取得してもよいし、コンテンツ配信サーバ装置３００にアクセスすることによって取得してもよい。このように構成することによって、ユーザは、情報の詳細を取得できる。
処理部１３２は、表示部１６０に表示された表示インデックス４２２ｂに対してタッチ操作が行われた場合に、操作部１４０が出力するタッチ操作の検出結果を取得し、取得したタッチ操作の検出結果に基づいて、表示部１６０に、情報４１０ｂ、情報４１３ｂ、情報４１６ｂ、情報４１９ｂ以外の情報を、情報４１９ｂの下側に表示する。処理部１３２は、表示インデックス４２２ｂに対するタッチ操作の検出結果を取得した場合、画像と、記事とを含む情報を取得し、取得した情報を、表示部１６０へ表示する。つまり、処理部１３２は、ライト表示された情報表示サイトの表示インデックス４２２ｂに対するタッチ操作の検出結果を取得した場合、通常表示で表示される情報を表示する。このように構成することによって、表示部１６０に表示しきれなかった情報を表示できるとともに、ユーザに対して、通常表示された情報を見ることを促すことができる。
また、処理部１３２は、記憶部１２０の表示指定情報１２４に記憶されたライト表示を示す情報に基づいて、ライト表示した場合であっても、その後ユーザが、端末装置１００が表示する情報表示サイトでの表示切替え操作によって、ライト表示から通常表示へ切り替えた回数が閾値以上である場合には、表示指定情報１２４に通常表示を示す情報を記憶することを促すようにしてもよい。
【００４０】
（端末装置の動作）
図４は、本実施例の端末装置の動作の一例を示すシーケンスチャートである。ここでは、端末装置１００にインストールされた情報表示アプリ１２３が起動され、起動された情報表示アプリ１２３が機能することによって、コンテンツ配信サーバ装置３００から、情報表示サイトのデータを取得し、取得した情報表示サイトのデータを処理することによって、通常表示またはライト表示する処理を示す。
（Ｓ１）
端末装置１００の処理部１３２は、表示部１６０に表示された情報表示アプリ１２３のアイコンに対してタッチ操作が行われた場合に、操作部１４０が出力するタッチ操作の検出結果を取得し、取得したタッチ操作の検出結果に基づいて、情報表示アプリ１２３を起動する。
（Ｓ２）
端末装置１００の処理部１３２は、表示部１６０に表示された情報表示サイトに含まれる簡易切替コンテンツ４０５に対してタッチ操作が行われたか否かを判定する。
（Ｓ３）
端末装置１００の処理部１３２は、簡易切替コンテンツ４０５に対してタッチ操作が行われたと判定した場合に、操作部１４０が出力するタッチ操作の検出結果を取得し、取得したタッチ操作の検出結果に基づいて、表示方法を設定する。具体的には、「通常表示」と表示された簡易切替コンテンツ４０５に対してタッチ操作が行われたと判定した場合にはライト表示に切り替えると判定し、「ライト表示」と表示された簡易切替コンテンツ４０５に対してタッチ操作が行われたと判定した場合には通常表示に切り替えると判定する。
【００４１】
（Ｓ４）
端末装置１００の作成部１３４は、切り替えると判定した表示の情報表示サイトのデータを要求するリクエストを作成し、作成したリクエストを、コンテンツ配信サーバ装置３００へ送信する。
（Ｓ５）
コンテンツ配信サーバ装置３００は、端末装置１００が送信したリクエストに応じて、切り替えると判定した表示の情報表示サイトのデータを含むレスポンスを、端末装置１００へ送信する。
（Ｓ６）
端末装置１００の処理部１３２は、ステップＳ５で設定された表示方法で、情報表示サイトを、表示部１６０に表示する。
【００４２】
（Ｓ７）
端末装置１００の処理部１３２は、簡易切替コンテンツ４０５に対してタッチ操作が行われないと判定した場合に、記憶部１２０の表示指定情報１２４に情報が記憶されているか否かを判定する。
（Ｓ８）
端末装置１００の処理部１３２は、記憶部１２０の表示指定情報１２４に情報が記憶されていると判定した場合、表示指定情報１２４に記憶されている情報に基づいて、表示方法を設定する。具体的には、表示指定情報１２４に、通常表示を示す情報が含まれている場合には、通常表示に設定し、ライト表示を示す情報が含まれている場合にはライト表示に設定する。
（Ｓ９）
端末装置１００の作成部１３４は、設定した表示の情報表示サイトのデータを要求するリクエストを作成し、作成したリクエストを、コンテンツ配信サーバ装置３００へ送信する。
【００４３】
（Ｓ１０）
コンテンツ配信サーバ装置３００は、端末装置１００が送信したリクエストに応じて、切り替えると判定した表示の情報表示サイトのデータを含むレスポンスを、端末装置１００へ送信する。
（Ｓ１１）
端末装置１００の処理部１３２は、ステップＳ１０で設定された表示方法で、情報表示サイトを、表示部１６０に表示する。
（Ｓ１２）
端末装置１００の処理部１３２は、記憶部１２０の表示指定情報１２４に情報が記憶されていないと判定した場合、通信状態に基づいて、表示方法を設定する。具体的には、作成部１３４は、通信状態情報を問い合わせる要求であるリクエストを作成し、作成したリクエストを、通信部１１０へ出力する。通信部１１０は、作成部１３４が作成したリクエストを、ＤＣサーバ装置２００へ、送信する。ＤＣサーバ装置２００は、端末装置１００が送信したリクエストに応じて、その端末装置１００に設定されている通信状態情報を含むレスポンスを作成し、作成したレスポンスを、端末装置１００へ送信する。端末装置１００は、ＤＣサーバ装置２００が送信したレスポンスを受信し、受信したレスポンスに含まれる通信状態情報に基づいて、通信状態情報が高速通信を示す場合には通常表示に設定し、通信状態が低速通信を示す場合にはライト表示に設定する。
【００４４】
（Ｓ１３）
端末装置１００の作成部１３４は、設定した表示の情報表示サイトのデータを要求するリクエストを作成し、作成したリクエストを、コンテンツ配信サーバ装置３００へ送信する。
（Ｓ１４）
コンテンツ配信サーバ装置３００は、端末装置１００が送信したリクエストに応じて、切り替えると判定した表示の情報表示サイトのデータを含むレスポンスを、端末装置１００へ送信する。
（Ｓ１５）
端末装置１００の処理部１３２は、ステップＳ１４で設定された表示方法で、情報表示サイトを、表示部１６０に表示する。
【００４５】
前述した実施形態では、ポータルサイトに、使用可能データ量、追加データ量、追加データ量の有効期限などを表す情報が表示される場合について説明したが、この例に限られない。例えば、端末装置１００のホーム画面に、使用可能データ量、追加データ量、追加データ量の有効期限などを表すウィジェットを表示するようにしてもよい。このように構成することによって、ユーザは、ポータルサイトを起動することなく、使用可能データ量などのデータ通信の利用状況を参照できる。
また、ポータルサイトに、使用可能データ量、追加データ量、追加データ量の有効期限などを表す情報が表示されるとともに、ホーム画面に、使用可能データ量、追加データ量、追加データ量の有効期限などを表すウィジェットが表示されるようにしてもよい。
さらに、そのウィジェットに、高速通信と低速通信との間の切り替えや、追加データ量をチャージする機能を含めるようにしてもよい。このように構成することによって、ユーザは、ポータルサイトを起動することなく、通信速度を切り替えるサービス、データチャージなどのサービスを利用できる。
【００４６】
前述した実施形態では、通常表示された情報表示サイト４００ａと、通常表示された情報表示サイト４００ｂとに、天気予報コンテンツ４０２と、占いコンテンツ４０３と、乗換案内コンテンツ４０４とが表示される場合について説明したが、この例に限られない。例えば、通常表示された情報表示サイト４００ａと、通常表示された情報表示サイト４００ｂとに、メールと表示されるメーラが表示されてもよいし、ショッピングと表示されるショッピングコンテンツが表示されてもよい。
前述した実施形態では、通常表示された情報表示サイト４００ａと、通常表示された情報表示サイト４００ｂとに、主要インデックス４０６と、時事インデックス４０７と、芸能インデックス４０８と、スポーツインデックス４０９とが含まれる場合について説明したが、この例に限られない。例えば、通常表示された情報表示サイト４００ａと、通常表示された情報表示サイト４００ｂとに、国際と表示される国際インデックスが含まれてもよいし、経済と表示される経済インデックスが含まれてもよい。
【００４７】
前述した実施形態では、処理部１３２は、表示方法を設定した後に、通常表示又はライト表示された情報表示サイトを取得するリクエストを作成し、作成したリクエストを通信部１１０へ出力する。処理部１３２は、リクエストに対して、コンテンツ配信サーバ装置３００が送信した情報表示サイトを取得し、取得した情報表示サイトを、表示部１６０に表示する場合について説明したが、この例に限られない。例えば、処理部１３２は、低速通信の場合には、コンテンツ配信サーバ装置３００へアクセスし、通常表示の情報表示サイトと、ライト表示の情報表示サイトのいずれか一方又は両方を取得するようにしてもよい。このように構成することによって、端末装置１００は、予め取得した通常表示の情報表示サイトと、ライト表示の情報表示サイトのいずれか一方又は両方を表示できるため、ユーザが、情報表示サイトに対して、タッチ操作が行われてから、そのタッチ操作によって、情報表示サイトが表示されるまでの時間を短縮できる。
【００４８】
前述した実施形態の端末装置１００によれば、自端末装置１００に対する表示切替え操作、自端末装置１００が記憶している表示態様を指定する情報、自端末装置１００の通信状態の順に、付された優先度に基づいて、表示態様を選択し、選択した表示態様にしたがって、表示部１６０に表示する。このように構成することによって、画像や詳細な内容を含むコンテンツと、画像などを含まず、概要を含むコンテンツとの間で柔軟に切替えることができる。
【００４９】
＜構成例＞
一構成例として、  端末装置であって、表示部（本実施形態では、表示部１６０）と、表示部に表示する態様である表示態様を指定する情報を記憶する記憶部（本実施形態では、記憶部１２０）と、アプリ（本実施形態では、情報表示アプリ）を実行することによって、自端末装置に対する表示切替え操作によって設定された情報に基づく第一判定条件と、記憶部に記憶されている表示態様を指定する情報に基づく第二判定条件と、自端末装置の通信状態に基づく第三判定条件とのうち、第一判定条件、第二判定条件、第三判定条件の順に、付された優先度に基づいて、表示態様を選択し、選択した表示態様にしたがって、表示部に表示する情報処理部（本実施形態では、情報処理部１３０）とを備える、端末装置（本実施形態では、端末装置１００）である。
一構成例として、端末装置において、情報処理部は、アプリが終了した場合に、記憶部に記憶している表示態様を指定する情報を初期化する。
一構成例として、端末装置において、アプリの終了には、アプリがフォアグラウンドからバックグラウンドに切り替えられた場合と、アプリが閉じられた場合とが含まれる。
【００５０】
以上、実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組合せを行うことができる。これら実施形態は、発明の範囲や要旨に含まれると同時に、特許請求の範囲に記載された発明とその均等の範囲に含まれるものである。
【００５１】
なお、前述した端末装置１００は、コンピュータで実現するようにしてもよい。その場合、各機能ブロックの機能を実現するためのプログラムをコンピュータ読み取り可能な記録媒体に記録する。この記録媒体に記録されたプログラムをコンピュータシステムに読み込ませ、ＣＰＵが実行することで実現してもよい。ここでいう「コンピュータシステム」とは、ＯＳ(Operating System)や周辺機器などのハードウェアを含むものとする。
また、「コンピュータ読み取り可能な記録媒体」とは、フレキシブルディスク、光磁気ディスク、ＲＯＭ、ＣＤ−ＲＯＭなどの可搬媒体のことをいう。また、「コンピュータ読み取り可能な記録媒体」は、コンピュータシステムに内蔵されるハードディスクなどの記憶装置を含む。
【００５２】
さらに「コンピュータ読み取り可能な記録媒体」とは、短時間の間、動的にプログラムを保持するものを含んでいてもよい。短時間の間、動的にプログラムを保持するものは、例えば、インターネットなどのネットワークや電話回線などの通信回線を介してプログラムを送信する場合の通信線である。
また、「コンピュータ読み取り可能な記録媒体」には、サーバやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ(Field Programmable Gate Array)である。
【００５３】
なお、上述の端末装置１００は内部にコンピュータを有している。そして、上述した電柱移設イメージ表示装置の各処理の過程は、プログラムの形式でコンピュータ読み取り可能な記録媒体に記憶されており、このプログラムをコンピュータが読み出して実行することによって、上記処理が行われる。
ここでコンピュータ読み取り可能な記録媒体とは、磁気ディスク、光磁気ディスク、ＣＤ−ＲＯＭ、ＤＶＤ−ＲＯＭ、半導体メモリなどをいう。また、このコンピュータプログラムを通信回線によってコンピュータに配信し、この配信を受けたコンピュータが当該プログラムを実行するようにしてもよい。
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００５４】
５０…ネットワーク、１００、１００−１、１００−２、・・・、１００−Ｎ…端末装置、１１０…通信部、１２０…記憶部、１２１…プログラム、１２２…ポータルアプリ、１２３…情報表示アプリ、１２４…表示指定情報、１３０…情報処理部、１３２…処理部、１３４…作成部、１４０…操作部、１５０…バスライン、１６０…表示部、２００…ＤＣサーバ装置、３００…コンテンツ配信サーバ装置
【図１】
2019134344.tif 000003
【図２】
2019134344.tif 000004
【図３】
2019134344.tif 000005
【図４】
2019134344.tif 000006